(57)【要約】【課題】  負荷を調整する手段を備えると共に、その手段が簡易な構成とされる水中運動装置の提供。【解決手段】  プールＰの壁Ｗに固定されるフレーム１と、このフレーム１に設けられる一対の揺動部材５，５と、各揺動部材５に回転可能に保持される負荷部材７を備える。負荷部材７は、矩形状の箱体とされ、各揺動部材５に二個ずつ取り付けられている。下側の負荷部材７は、その差込部７５が揺動部材本体６３の一辺６３ａに着脱可能に取り付けられた係止部材７３にはめ込まれることで位置決めが可能とされており、上側の負荷部材７は、その差込部７５が下側の負荷部材７の貫通穴７７にはめ込まれることで位置決めがなされる。【選択図】      図２
2009056235.tif 000002
【特許請求の範囲】
【請求項１】
プールなどの水槽で使用される歩行運動用の水中運動装置であって、
前記水槽に設けられるフレームと、
左右に離隔して前記フレームに回転可能に設けられ、この回転保持部から下方への延出部を有し、この延出部の下端部に利用者の足置き部が設けられる一対の揺動部材と、
各揺動部材の延出部に設けられ、延出部を軸として回転可能で、かつ、延出部に対し位置決め可能な負荷部材と
を備えることを特徴とする水中運動装置。
【請求項２】
前記負荷部材は、長方形状とされ、前記延出部に対して９０度ごとに位置決め可能とされる
ことを特徴とする水中運動装置。
【請求項３】
前記負荷部材は、各揺動部材に上下に複数設けられる
ことを特徴とする請求項１または請求項２に記載の水中運動装置。
【発明の詳細な説明】
【技術分野】
【０００１】
本発明は、運動する際に使用される装置であって、特に、少なくとも一部が水中に沈められて使用される運動装置に関するものである。
【背景技術】
【０００２】
周知のとおり、筋力強化やダイエットなどのために各種運動装置が使用されている。これらの運動装置は、ジムなどで使用されているが、高齢者や身体の不自由な方が使用する場合、負荷が大きすぎて使用し難いことがあった。
そこで、これらの方をも対象にした運動装置として、下記特許文献１に開示されるように、水中で使用される運動装置が提示されている。
水中で運動する場合、水の浮力が働くことで、過剰な負荷がかかることがなく、高齢者や身体の不自由な方でも無理なく運動することができる。
【特許文献１】実用新案登録第３０８４４７９号公報
【発明の開示】
【発明が解決しようとする課題】
【０００３】
しかしながら、前記特許文献１に示されるような従来の運動装置の場合、負荷を調整する手段が無かったり、負荷を調整する手段があってもその構成が複雑で、装置の製造や保守などに手間や時間を要していた。
【０００４】
本発明が解決しようとする課題は、負荷を調整する手段を備えると共に、その手段が簡易な構成とされる水中運動装置を提供することにある。
【課題を解決するための手段】
【０００５】
本発明は、前記課題を解決するためになされたものであり、請求項１に記載の発明は、プールなどの水槽で使用される歩行運動用の水中運動装置であって、前記水槽に設けられるフレームと、左右に離隔して前記フレームに回転可能に設けられ、この回転保持部から下方への延出部を有し、この延出部の下端部に利用者の足置き部が設けられる一対の揺動部材と、各揺動部材の延出部に設けられ、延出部を軸として回転可能で、かつ、延出部に対し位置決め可能な負荷部材とを備えることを特徴とする水中運動装置である。
【０００６】
請求項２に記載の発明は、前記負荷部材は、長方形状とされ、前記延出部に対して９０度ごとに位置決め可能とされることを特徴とする水中運動装置である。
【０００７】
さらに、請求項３に記載の発明は、前記負荷部材は、各揺動部材に上下に複数設けられることを特徴とする請求項１または請求項２に記載の水中運動装置である。
【発明の効果】
【０００８】
本発明の水中運動装置によれば、負荷を調整する手段を備えると共に、その手段が簡易な構成とされるので、製造や修理が容易になされる。
【発明を実施するための最良の形態】
【０００９】
以下、本発明の水中運動装置について、図面に基づき詳細に説明する。
【００１０】
図１は、本発明の水中運動装置の一実施例を示す側面図であり、プール内で使用されている状態を示しており、図２は、図１の水中運動装置の斜視図であり、図３は、図１の水中運動装置の正面図である。
【００１１】
本実施例の水中運動装置は、利用者が、プール内でいわゆる歩行運動を行うための装置である。以下の説明においては、図１に示すように、本実施例の水中運動装置に利用者が乗った状態において、利用者の前方を前側、後方を後側とする。
【００１２】
本実施例の水中運動装置は、プールＰの壁Ｗに固定されるフレーム１と、このフレーム１に回転可能に保持される一対の揺動部材５，５と、各揺動部材５に設けられる負荷部材７とを主要部に備える。
【００１３】
フレーム１は、プールＰの壁面Ｗ１の近傍に上下方向に沿って配置される支柱９と、この支柱９に取り付けられ、前側へ延出してプールＰの壁Ｗに固定される取付柱１１と、支柱９に取り付けられるアーム１３とを備える。
【００１４】
支柱９は、金属製のパイプにより形成されており、その下端部には、金属製パイプからなる補助柱１５が支柱９に対して垂直に固定されている。本実施例では、支柱９と補助柱１５は、第一固定具１６により連結されている。
【００１５】
第一固定具１６は、一対の矩形状のブロック体１７，１７を有している。
各ブロック体１７の一端面中央には、左右方向に沿って断面略半円形の横溝１７ａが形成されており、この横溝１７ａの中央から上側へ向けて断面略半円形の縦溝１７ｂが形成されている。つまり、各ブロック体１７の一端面には、逆向きＴ字形の溝が形成されている。このような構成により、各ブロック体１７の一端面同士が重ね合わされると、左右方向へ開口する横穴と、上側へ開口する円形の縦穴が現出する。
【００１６】
各ブロック体１７の横溝１７ａに補助柱１５が配置され、縦溝１７ｂに支柱９の下端部が配置されて、ブロック体１７，１７同士がネジ１７ｃにより締め付けられることで、支柱９と補助柱１５が連結される。このようにして、補助柱１５は、その軸方向が左右方向に沿うように配置され、その長手方向中間部に支柱９の下端部が固定されて、支柱９と補助柱１５とは逆向き略Ｔ字形に連結されている。
【００１７】
この補助柱１５の両端部には、それぞれ車輪１８，１８が回転可能に取り付けられている。車輪１８は、その車軸が補助柱１５の軸方向に沿うように取り付けられている。
【００１８】
取付柱１１は、金属製のパイプにより形成されており、その一端部が支柱９に固定されて前側へプールサイドまで水平に延出している。本実施例では、取付柱１１の一端部は、支柱９に固定された第二固定具１９に取り付けられている。
【００１９】
第二固定具１９は、一対の矩形状のブロック体２１，２１を有している。
各ブロック体２１の一端面中央には、上下方向に沿って断面略半円形の縦溝２１ａが形成されている。このような構成により、各ブロック体２１の一端面同士が重ね合わされると、上下方向へ開口する円形の縦穴が現出する。そして、前側のブロック体２１の中央部には、前後方向に沿って円形の取付穴（不図示）が形成されている。
【００２０】
各ブロック体２１の縦溝２１ａに支柱９が配置され、ブロック体２１，２１同士がネジ２３により締め付けられることで、支柱９に第二固定具１９が固定される。
そして、第二固定具１９の前側のブロック体２１の取付穴に取付柱１１の後端部がはめ込まれネジでブロック体２１に固定されて、支柱９と取付柱１１とが連結される。
【００２１】
取付柱１１の前端部には、左右一対の脚部２５，２５が設けられている。
脚部２５は、金属製のパイプを湾曲して形成された略Ｌ字形の部材とされ、その一端部は、第三固定具２７を介して取付柱１１に固定されており、他端部には、アンカー２９が設けられている。
【００２２】
第三固定具２７は、一対の矩形状のブロック体３１，３１を有しており、各ブロック体３１の一端面中央に脚部２５の一端部が固定されている。
また、各ブロック体３１の他端面中央には、前後方向に沿って断面略半円形の横溝３１ａが形成されている。このような構成により、各ブロック体３１の他端面同士が重ね合わされると、前後方向へ開口する円形の横穴が現出する。
【００２３】
各ブロック体３１の横溝３１ａに取付柱１１が配置され、ブロック体３１，３１同士がネジ３３により締め付けられることで、取付柱１１に第三固定具２７が固定され、ひいては脚部２５が取付柱１１に固定される。
【００２４】
そして、脚部２５の他端部が、プールサイドの床面にアンカー２９で固定されて、取付柱１１がプールＰの壁Ｗに固定される。
【００２５】
本実施例では、車輪１８，１８がプールＰの底面Ｂおよび壁面Ｗ１に当接し、支柱９がプールＰの底面Ｂに対して垂直に配置されるように、取付柱１１がプールＰの壁Ｗに固定される。なお、本実施例の水中運動装置は、第二固定具１９の支柱９に対する取付位置が変更可能であることから、第二固定具１９の取付位置を変更することで、プールＰの深さに対応することが可能である。
【００２６】
アーム１３は、金属製のパイプを屈曲して形成された略Ｕ字形の部材とされ、その両端部には、筒状の取付部３７，３７が一体に設けられている。
アーム１３は、その両端部が後側へ向けられ、かつ、両端部が同じ高さ位置となるように、中央部が支柱９に固定される。本実施例では、支柱９に着脱可能に取り付けられた第四固定具３９にアーム１３の中央部が固定される。
【００２７】
第四固定具３９は、前後に重ね合わされる３つの矩形状のブロック体４１，４３，４５を有している。
後側に配置されるブロック体４１の前面中央には、上下方向に沿って断面略半円形の縦溝４１ａが形成されている。また、中央に配置されるブロック体４３の後面中央には、上下方向に沿って断面略半円形状の縦溝４３ａが形成されており、前面中央には、左右方向に沿って断面略半円形状の横溝４３ｂが形成されている。さらに、前側に配置されるブロック体４５の後面中央には、左右方向に沿って断面略半円形の横溝４５ａが形成されている。
【００２８】
このような構成により、各ブロック体４１，４３，４５が重ね合わされると、後側のブロック体４１と中央のブロック体４３の各縦溝４１ａ，４３ａにより上下方向に開口する円形の縦穴が現出し、中央のブロック体４３と前側のブロック体４５の各横溝４３ｂ，４５ａにより左右方向に開口する円形の横穴が現出する。
【００２９】
そして、第四固定具３９の縦穴に支柱９が配置され、横穴にアーム１３の中央部が配置されるように各ブロック体４１，４３，４５が取り付けられ、ブロック体４１，４３，４５同士が重ね合わされてネジ４７により締め付けられることで、支柱９にアーム１３が固定される。
【００３０】
本実施例では、アーム１３の開放両端辺が、後方へ行くに従って若干下方へ傾斜するように、支柱９にアーム１３が固定されている。
また、アーム１３が支柱９に固定された状態において、各取付部３７は、軸方向が左右方向に沿った状態とされる。
【００３１】
なお、本実施例では、アーム１３の開放両端辺の中間部同士を架け渡すように、左右方向に沿って金属製のパイプ４９が設けられている。このパイプ４９には、ゴムなどの弾性材からなる筒状のグリップ５１が設けられている。
また、このパイプ４９の中間部と、支柱９の中途部とが、略Ｌ字形に湾曲したパイプからなる支持柱５３により連結されている。本実施例では、支持柱５３は、支柱９に固定される第五固定具５５に接続されて支柱９に固定されている。
【００３２】
第五固定具５５は、左右一対の矩形状のブロック体５７，５７を有している。
各ブロック体５７の一端面中央には、上下方向に沿って断面略半円形の縦溝５７ａが形成されており、この縦溝５７ａの略中央部から後側へ向けて断面略半円形の横溝５７ｂが形成されている。つまり、各ブロック体５７には横向きＴ字状の溝が形成されている。
このような構成により、各ブロック体５７の一端面同士が重ね合わされると、上下方向へ開口する円形の縦穴が現出すると共に、後側へ開口する円形の横穴が現出する。
【００３３】
本実施例では、各ブロック体５７の縦溝５７ａに支柱９が配置され、横溝５７ｂに支持柱５３の一端部が配置されてブロック体５７，５７同士がネジ５９により締め付けられることで、支柱９に支持柱５３が固定される。
【００３４】
図４は、揺動部材への負荷部材の取付方法を示す分解斜視図である。
【００３５】
揺動部材５は、アーム１３の取付部３７に回転可能にはめ込まれる揺動部材軸部６１と、この揺動部材軸部６１に固定される揺動部材本体６３とを有する。
揺動部材軸部６１は、金属製のパイプからなり、軸方向が左右方向に沿うように配置されて一端部が取付部３７に回転可能にはめ込まれており、他端部は左右方向外側へ延出している。
揺動部材本体６３は、金属製のパイプを屈曲して形成された略Ｌ字形の部材とされ、上端部が揺動部材軸部６１の長手方向中央部に固定されてそこから下方へ延出する一辺６３ａと、この一辺６３ａから左右方向内側へ一辺に対して直角に延出する他辺６３ｂとを有する。
【００３６】
アーム１３の両端部に設けられた各揺動部材５は、揺動部材本体６３の他辺６３ｂがプールＰの底面Ｂより上方に配置されており、揺動部材軸部６１を軸としてアーム１３に対して回転可能とされる。
また、各揺動部材５が垂下した状態、つまり各揺動部材５の一辺６３ａが上下方向に沿って配置された状態では、各揺動部材５の他辺６３ｂ同士は対向している。
【００３７】
揺動部材５の他辺６３ｂには、利用者が足を載せ置くための矩形板状の足置き部６９が取り付けられる。足置き部６９は、揺動部材５が垂下した状態において、略水平となるように、揺動部材５の他辺６３ｂの上に固定されている。
足置き部６９の上面には、利用者が足を載せ置く凹部６９ａが形成されており、その凹部６９ａの底面６９ｂは、滑り止めとして波形に形成されている。
【００３８】
本実施例では、各揺動部材５の揺動部材軸部６１の他端部にハンドル７１が固定されている。ハンドル７１は、略くの字形の板体とされ、揺動部材軸部６１の他端部に固定されて前側へ延出する一片７１ａと、この一片７１ａの前端部から前側へ行くに従って上方へ延出する他片７１ｂとを有する。他片７１ｂには、ゴムなどの弾性材からなるグリップ７２が取り付けられている。
【００３９】
各揺動部材５の一辺６３ａには、一辺６３ａに対して回転可能な二つの負荷部材７（７Ａ），７（７Ｂ）と、この負荷部材７の回転を規制し位置決めする係止部材７３とが取り付けられている。
【００４０】
負荷部材７は、長方形の箱体とされ、その下端部中央には、下方へ突出して正方形筒状の差込部７５が設けられている。
本実施例では、プラスチックなどの合成樹脂により負荷部材７および差込部７５が一体に形成されている。
【００４１】
負荷部材７の上面および下面の各中央部には、上下方向に沿って正方形の貫通穴７７，７９が形成されている。この負荷部材７の上面および下面の各貫通穴７７，７９は、揺動部材５の一辺６３ａが通される大きさとされている。
また、本実施例では、負荷部材７の上面の貫通穴７７は、差込部７５に対応した大きさとされており、負荷部材７の上面の貫通穴７７に差込部７５がはめ込み可能とされる。
そして、負荷部材７の下面の貫通穴７９は、差込部７５の内穴に連通するように形成されている。
負荷部材７は、この各貫通穴７７，７９に揺動部材５の一辺６３ａが回転可能に通されて揺動部材５に着脱可能に取り付けられる。
【００４２】
本実施例では、図４に示すように、負荷部材７は、上下方向に沿った面で二分割可能とされている。分割された一対の負荷部材部品７ａ，７ａの上下端部には、各貫通穴７７，７９を構成する矩形状の切欠き７７ａ，７９ａがそれぞれ形成されている。また、各負荷部材部品７ａの下端部には、下方へ突出して差込部７５を構成するコ字形の突出部７５ａが形成されている。
各負荷部材部品７ａの切欠き７７ａ，７９ａおよび突出部７５ａに揺動部材５の一辺６３ａが通され、揺動部材５の一辺６３ａを挟み込むように各負荷部材部品７ａが配置されて、負荷部材部品７ａ，７ａ同士が固定される。
本実施例では、各負荷部材部品７ａの一側端部に、板状に突出して先端部が三角形状の係合部８１が形成されており、他側端部に、係合部８１の先端部が係合可能な凹状の被係合部８２が形成されている。これにより、負荷部材部品７ａ，７ａ同士を重ね合わすことで互いに固定される。
【００４３】
本実施例では、各揺動部材５の一辺６３ａに、それぞれ二つの負荷部材７（７Ａ），７（７Ｂ）が上下に配置されて取り付けられており、係止部材７３は、下側の負荷部材７Ｂの回転を規制する。
【００４４】
係止部材７３は、一対のブロック体８５，８５を有している。
各ブロック体８５は、下端部より上端部の幅が狭い逆向き略Ｔ字形とされており、その一端面中央には、上下方向に沿って断面略半円形状の縦溝８５ａが形成されている。
このような構成により、ブロック体８５，８５同士が重ね合わされると、上下方向へ開口する円形の縦穴が現出する。
本実施例では、各ブロック体８５の縦溝８５ａに揺動部材５の一辺６３ａが配置されてブロック体８５，８５同士がネジ８７により締め付けられることで、揺動部材５の一辺６３ａの下端部に係止部材７３が着脱可能に固定される。
【００４５】
係止部材７３が揺動部材５の一辺６３ａに固定された状態において、係止部材７３の上端部７３ａは平面視正方形状とされており、負荷部材７の差込部７５がはめ込み可能とされる。
本実施例では、負荷部材７の差込部７５が係止部材７３にはめ込まれた際に、負荷部材７の幅が広い面と、狭い面がそれぞれ左右方向に沿って配置されるように係止部材７３が揺動部材５の一辺６３ａに固定されている。
【００４６】
各揺動部材５に取り付けられた二つの負荷部材７Ａ，７Ｂのうち、下側の負荷部材７Ｂは、その差込部７５が係止部材７３の上端部７３ａにはめ込まれることで、揺動部材５の一辺６３ａを軸として周方向９０度ごとに回転が規制されて位置決めが可能とされる。
そして、上側の負荷部材７Ａは、その差込部７５が下側の負荷部材７Ｂの上面の貫通穴７７にはめ込まれることで、揺動部材５の一辺６３ａを軸として周方向９０度ごとに回転が規制されて周方向の位置決めがなされる。このように、本実施例では、上下の負荷部材７Ａ，７Ｂ同士が互いに連結可能とされている。
【００４７】
なお、本実施例では、下側の負荷部材７Ｂは、その差込部７５が係止部材７３にはめ込まれることで、上側への移動が規制され、また、上側の負荷部材７Ａは、その差込部７５が下側の負荷部材７Ｂの貫通穴７９にはめ込まれることで、上側への移動が規制される。
さらに、本実施例では、負荷部材７の内部に水が進入して満たされることで、上側への移動が規制される。
【００４８】
本実施例の水中運動装置を使用する場合、利用者は、各足置き部６９に足を載せ置き、立った状態でハンドル７１のグリップ７２またはパイプ４９のグリップ５１を把持する。
そして、足を交互に前後に振ることで、各揺動部材５が揺動部材軸部６１を軸としてフレーム１に対して前後に揺動し、歩行運動を行うことができる。
【００４９】
また、負荷部材７により、運動の負荷、つまり足を振る際の負荷を調節することができる。
具体的には、図２に示す上側の負荷部材７Ａのように、幅が広い面を前後に向けて配置すると、水の抵抗が大きくなり歩行運動時の負荷が大きくなる。
また、図２に示す下側の負荷部材７Ｂのように、幅が広い面を左右に向けて配置すると、幅が広い面を前後に向けて配置した場合に比べて、水の抵抗が小さくなり、歩行運動時の負荷が小さくなる。
【００５０】
ここで、負荷部材７の向きを変更する場合、上側の負荷部材７Ａの向きを変える際には、負荷部材７Ａを少し引き上げて、その差込部７５を下側の負荷部材７Ｂの貫通穴７７から引き抜く。そして、負荷部材７Ａを揺動部材５の一辺６３ａに対して９０度回転させた後、下側へ押し込んで差込部７５を下側の負荷部材７Ｂの貫通穴７７にはめ込めばよい。
また、下側の負荷部材７Ｂの向きを変更する場合には、上側の負荷部材７Ａと同様に、負荷部材７Ｂを少し引き上げて、係止部材７３から差込部７５を引き抜き、負荷部材７Ｂを９０度回転させた後、再び係止部材７３に差込部７５をはめ込めばよい。
【００５１】
このようにして、本実施例の水中運動装置では、負荷を段階的に変更させて、歩行運動を行うことができる。
たとえば、上下の負荷部材７Ａ，７Ｂの広い面を前後に向けてそれぞれ配置された状態、上下の負荷部材７Ａ，７Ｂの一方の広い面を前後に向け、他方の広い面を左右に向けて配置された状態、上下の負荷部材７Ａ，７Ｂの広い面を左右に向けてそれぞれ配置された状態を選択することができる。
【００５２】
このように、本実施例の水中運動装置によれば、各個人の体力などに応じて、負荷を調整することが可能である。しかも、負荷の調整は、揺動部材５に設けられた負荷部材７を回転させて調整するだけですみ、その調整は容易である。また、負荷部材７の構成は簡易であり、補修や修理なども容易である。さらに、本実施例の水中運動装置は、負荷部材７でのみ負荷の調整が可能とされていることで、装置の構成が簡易とされる。
【００５３】
なお、本実施例の水中運動装置には、車輪１８，１８が取り付けられていることで、装置の取り外し、移動および設置が容易である。本実施例の水中運動装置をプールＰから取り外す場合、第三固定具２７から取付柱１１の前端部を取り外して、取付柱１１と脚部２５を分離する。そして、支柱９や取付柱１１を把持してプールＰから装置を引き揚げる。この際、車輪１８，１８がプールＰの壁面Ｗ１に沿って回転することで引き揚げが容易である。そして、引き揚げ後は、車輪１８が設けられていることで装置を引っ張って移動することができる。
【００５４】
本発明の水中運動装置は、上記実施例の構成に限らず、適宜変更可能である。
たとえば、負荷部材は、その形状、大きさおよび材質などは適宜変更可能であり、上記実施例では、負荷部材は、長方形状の箱体とされたが、他の多角形状としてもよく、例えば三角形や六角形状としてもよい。さらには、負荷部材７を板状としてもよい。
また、上記実施例では、負荷部材は、各揺動部材に２個ずつ設けられたが、１個または３個以上設けるようにしてもよい。なお、各揺動部材に負荷部材が３個以上設けられる場合でも、上記実施例と同様に、負荷部材の周方向の位置決めを行うようにすればよい。
さらに、上記実施例では、上側の負荷部材は、その差込部を下側の負荷部材の貫通穴にはめ込んで位置決めしたが、揺動部材本体の一辺に上側の負荷部材用の係止部材を取り付けて上側の負荷部材の位置決めを行うようにしてもよい。
【００５５】
さらに、上記実施例では、負荷部材７の貫通穴７７と差込部７５、および係止部材７３の上端部の形状を正方形として、９０度ごとに負荷部材７の位置決めを可能としたが、貫通穴、差込部および係止部材の形状を他の多角形状として、周方向の位置決め箇所を増やすようにしてもよい。たとえば、負荷部材７の貫通穴７７と差込部７５、および係止部材７３の上端部の形状を三角形や六角形などとしてもよい。
さらに、上記実施例では、揺動部材本体６３に直接負荷部材７を取り付けたが、揺動部材本体６３から延出する棒状部に負荷部材を取り付けるようにしてもよい。
また、上記実施例では、揺動部材本体６３の一辺６３ａに負荷部材が設けられたが、他辺６３ｂや足置き部６９に設けられるようにしても構わない。
【図面の簡単な説明】
【００５６】
【図１】本発明の水中運動装置の一実施例を示す側面図であり、プール内で使用されている状態を示している。
【図２】図１の水中運動装置の斜視図である。
【図３】図１の水中運動装置の正面図である。
【図４】図１の水中運動装置の揺動部材への負荷部材の取付方法を示す分解斜視図である。
【符号の説明】
【００５７】
１  フレーム
５  揺動部材
７  負荷部材
９  支柱
１３  アーム
６１  揺動部材軸部
６３  揺動部材本体
６３ａ  一辺（延出部）
７３  係止部材
７５  差込部
【図１】
2009056235.tif 000003
【図２】
2009056235.tif 000004
【図３】
2009056235.tif 000005
【図４】
2009056235.tif 000006